(57)【特許請求の範囲】
【請求項１】
ヒンジ部により回動自在に連結された一対の枠体に、この枠体を吊具を介して水平に懸架するフック部材と、洗濯物を挟持して吊す複数のピンチ部材とを設けた折り畳み式の金属製物干し具において、
各々の枠体は、一端部と他端部とに各々の平坦面を対向させた平板状の平坦部が一体に形成され、
上記ヒンジ部は、円板部と、この円板部の接線方向に外方に突出して上記各々の枠体の上記平坦部と嵌合する固着部とが一体に形成されたヒンジ部材よりなり、
上記ヒンジ部材は、各々同形に形成され、上記固着部が上記各々の枠体の一端部および他端部の上記平坦部に固着されているとともに、上記円板部の中心部に凸部が一体に形成され、一方の枠体のヒンジ部材と他方の枠体のヒンジ部材とが、互いの当該凸部の頂部を対向させて重なり合い上記円板部の中心部同士が軸着されていることを特徴とする金属製物干し具。
【請求項２】
上記一対の枠体は、アルミニウムにより形成されているとともに、上記ヒンジ部材は、ステンレスにより形成されていることを特徴とする請求項１または２に記載の金属製物干し具。
【発明の詳細な説明】
【技術分野】
【０００１】
本発明は、洗濯物をピンチに吊して干すための折り畳み式の金属製物干し具に関するものである。
【背景技術】
【０００２】
従来から、折り畳み式の物干し具は、安価で取り扱い易い合成樹脂製の枠体により形成されたものが、数多く使用されてきた。この合成樹脂製の物干し具は、容易に製造することができるため、使用する場所や用途に応じて、形状や大きさの異なるものが、大量生産されて市場に出回っている。そのため、多くの家庭において、複数個を所有し、使用する場所や用途に応じて使い分けている。
【０００３】
しかし、合成樹脂により形成された物干し具は、ベランダや庭先など屋外にある物干し竿に掛けて使用し、使用後もそのまま掛けて保管する場合に、太陽光や雨風により劣化が進み、もろく壊れ易くなってしまったり、風合いが落ちて見た目が悪くなってしまうという問題がある。
【０００４】
また、低価格で販売されるものが多く、粗悪品も少なからず出回っている。そのため、作りが貧弱で、直ぐに壊れてしまうものも多い。その結果、買い換えのサイクルが早くなり、無駄な出費が増えるとともに、排出されるゴミの量も増えてしまうという懸念がある。
【０００５】
そこで、下記特許文献においては、金属製のフレームを左右一対の門型フレームと、各門型フレームに取り付けられた補強フレームとから構成され、両門型フレームを使用時には拡開し、非使用時に重ねて折り畳むことができるように、両門型フレームの基端部を互い回動可能に連結している物干し具が提案されている。
【０００６】
この従来の金属製のフレームよりなる物干し具は、アルミニウムやステンレスなどの水に強く錆ない材質により形成されている。そのため、ベランダや庭先の物干し具に掛けたままにした場合でも、錆の発生や劣化の心配がない。また、軽量で破損しずらいため、子供から大人まで簡便に使用することができる。
【先行技術文献】
【特許文献】
【０００７】
【特許文献１】特開２００６−２６０５６号公報
【発明の概要】
【発明が解決しようとする課題】
【０００８】
ところが、この従来の物干し具は、金属材料によりフレームが形成されているため、錆の発生や劣化による破損が殆どなく、強度もあるため壊れにくい。しかし、フレーム同士を回動自在に連結しているヒンジ部は、合成樹脂により形成されているため、屋外で経年的に使用するこ場合には、雨風や太陽光の影響を受けて劣化が促進され、破損を招く恐れがある。また、劣化により合成樹脂製のヒンジ部の見栄えが悪く、風合いを損ねるという問題がある。
【０００９】
また、経年利用の過程において、頻繁に行われるフレームの開閉動作や乱暴に取り扱うことによって、合成樹脂により形成されたヒンジ部が摩耗したり破損したりしてしまう。この結果、開閉動作に支障が出るととともに、重い洗濯物を吊して干す際に、ヒンジ部の破損を誘発してしまうという問題もある。
【００１０】
本発明は、かかる事情に鑑みてなされたもので、物干し具全体を軽量の金属材料によって形成し、かつ一対の枠体を回動自在に連結するヒンジ部を強度のある金属材料によって形成することにより、軽くて壊れにくい金属製物干し具を提供することを課題とするものである。
【課題を解決するための手段】
【００１１】
上記課題を解決するために、請求項１に記載の発明は、ヒンジ部により回動自在に連結された一対の枠体に、この枠体を吊具を介して水平に懸架するフック部材と、洗濯物を挟持して吊す複数のピンチ部材とを設けた折り畳み式の金属製物干し具において、各々の枠体は、一端部と他端部とに各々の平坦面を対向させた平板状の平坦部が一体に形成され、上記ヒンジ部は、円板部と、この円板部の接線方向に外方に突出して上記各々の枠体の上記平坦部と嵌合する固着部とが一体に形成されたヒンジ部材よりなり、上記ヒンジ部材は、各々同形に形成され、上記固着部が上記各々の枠体の一端部および他端部の上記平坦部に固着されているとともに、上記円板部の中心部に凸部が一体に形成され、一方の枠体のヒンジ部材と他方の枠体のヒンジ部材とが、互いの当該凸部の頂部を対向させて重なり合い上記円板部の中心部同士が軸着されていることを特徴とするものである。
【００１３】
また、請求項２に記載の発明は、請求項１に記載の金属製物干し具において、上記一対の枠体は、アルミニウムにより形成されているとともに、上記ヒンジ部材は、ステンレスにより形成されていることを特徴とするものである。
【発明の効果】
【００１４】
請求項１〜２に記載の本発明によれば、折り畳み可能な一対の枠体と、この一対の枠体を回動自在に連結するためのヒンジ部とが、金属材料により形成されているため、屋外での使用または保管をした場合でも、太陽光や雨風による劣化の進行を防ぐことができる。この結果、破損や風合いを損なうことなく、長期に亘り使用することができる。
【００１５】
また、各々の枠体は、一端部と他端部とに各々の平坦面を対向させた平板状の平坦部が一体に形成され、この平坦部にヒンジ部材を取り付けることによって、回動自在に連結されているため、当該各々の枠体の回動方向に対して、垂直方向に配置された当該平坦面により、強度を高くすることができる。また、構造を簡素にすることができるともに、組み立てを簡便に行うことができる。これにより、製造コストを抑え、かつ強度のある物干し具を安価に提供することができる。
【００１６】
そして、上記ヒンジ部材は、円板部と、この円板部の接線方向に外方に突出した固着部とが一体に形成されているとともに、各々が同形に形成されているため、プレス機械により簡単に製造することができ、かつ一種類の上記ヒンジ部材を製造することによって、上記一対の枠体のヒンジ部を形成することができる。この結果、部品点数を抑えることができ、製造に掛かるコストを抑えることができる。
【００１７】
さらに、各々の枠体の一端部および他端部の上記平坦部に固着された上記ヒンジ部材は、一方の枠体のヒンジ部材と他方の枠体のヒンジ部材とが重なり合うとともに、上記円板部の中心部同士が軸着されているため、当該各々の枠体の回動方向に対して、垂直方向に配置された上記円板部の平坦面を重ね合わせることにより、強度を高くすることができる。これにより、上記円板部を薄くすることができ、より軽量な物干し具を提供することができる。
【００１８】
また、上記ヒンジ部材は、上記円板部の中心部に凸部が一体に形成され、一方の枠体のヒンジ部材と他方の枠体のヒンジ部材とが、互いの当該凸部の頂部を対向させて重なり合い上記円板部の中心部同士が軸着されているため、上記一対の枠体が回動した際に、摩擦抵抗を抑え、スムーズに回動させることができるとともに、上記円板部の強度を高めることができる。
【００１９】
請求項２に記載の本発明によれば、一対の枠体が、アルミニウムにより形成されているため、太陽光や雨風による錆や劣化の発生を抑えることができ、しかも軽量で取り扱い易い物干し具を提供することができる。この結果、使用後も庭先やベランダなど屋外に吊して保管することができる。
【００２０】
また、物干し具の枠体を開閉するためのヒンジ部材が、ステンレスにより形成されているため、頻繁に使用される場合であっても、摩耗や錆などの発生を抑えることができるとともに、強度を高めることができる。これにより、開閉動作に支障を与えることなく、長期利用を可能にし、家庭から廃棄されるゴミの量を軽減することができる。
【図面の簡単な説明】
【００２１】
【図１】本発明の金属製物干し具の一実施形態を示す斜視図である。
【図２】本発明の金属製物干し具の一実施形態の分解斜視図である。
【図３】本発明の金属製物干し具の枠体の斜視図である。
【図４】本発明の金属製物干し具のヒンジ部材を示し、（ａ）は斜視図、（ｂ）は正面図、（ｃ）は平面図、（ｄ）は底面図、（ｅ）は右側面図である。
【図５】本発明の金属製物干し具のヒンジ部の分解斜視図である。
【図６】本発明の金属製物干し具のヒンジ部の分解平面図である
【図７】本発明の金属製物干し具のヒンジ部の組み立て説明図である。
【図８】本発明の金属製物干し具の一実施形態を示す正面図である。
【図９】本発明の金属製物干し具を折り畳んだ状態の斜視図である。
【発明を実施するための形態】
【００２２】
図１〜９は、本発明の金属製物干し具の一実施形態を示すものである。
図１に示すように、本発明の金属製物干し具１０は、ヒンジ部５により回動自在に連結された一対の枠体１に、この枠体１を吊具７を介して水平に懸架するフック部材８と、洗濯物を挟持して吊す複数のピンチ部材９とを備えて概略構成されている。
【００２３】
また、フック部材８は、鈎状のフック部８と吊具７に連結されているフック台８ａとにより構成されている。吊具７は、頂部が水平な山形状のワイヤー部材により形成され、当該頂部がフック台８ａに回動自在に連結されている。また、吊具７の上記ワイヤー部材の一端部および他端部が、一対の枠体１の各々の枠体２、３に回動自在に接続されている。
【００２４】
そして、一対の枠体１は、図２、図３に示すように、アルミニウムからなるコの字状の枠体２、３により構成されている。この枠体２、３は、一端部２ａ、３ａおよび他端部２ｂ、３ｂに、平板状の平坦部４が形成されている。この平坦部４は、平坦面が対向するように、プレス加工により平板状に一体に形成されている。また平坦部４には、平坦面の長手方向に取付孔４ａが、２箇所間隔を置いて穿設されている。
【００２５】
そして、各々の枠体２、３の対向辺には、当該対向辺間を掛け渡して設けられた第１補強桟２ｃ、３ｃが、一端部２ａ、３ａおよび他端部２ｂ、３ｂ側近傍に設けられている。さらに、第１補強桟２ｃ、３ｃと対向する各々の枠体２、３の閉塞側の一辺とには、この間を掛け渡して設けられた第２補強桟２ｄ、３ｄが、２本間隔を置いて設けられている。
【００２６】
さらに、各々の枠体２、３の一端部２ａ、３ａおよび他端部２ｂ、３ｂに形成された平坦部４に、同形に形成されたヒンジ部材６が各々固着されている。このヒンジ部材６は、図４に示すように、ステンレスにより形成され、中心部にプレス加工された凸部６ｂが形成された円板部６ａと、この円板部６ａの接線方向に外方に突出する固着部６ｃが一体に形成されている。この固着部６ｃには、円板部６ａの接線をなす一辺部と、円板部６ａの中心側に位置する他辺部とに、円板部６ａの凸部６ｂの頂部側に屈曲したフランジ部６ｉが形成され、固着部６ｃの側面視がコの字状をなしている。
【００２７】
また、円板部６ａの接線をなす上記一辺部のフランジ部６ｉには、円板部６ａの中心側の端部にストッパ部６ｈが形成されている。されに固着部６ｃには、各々の枠体２、３の一端部２ａ、３ａおよび他端部２ｂ、３ｂに形成された平坦部４に穿設されている取付孔４ａと同位置に、固着リベット取付孔６ｇが２箇所穿設されている。
【００２８】
そして、各々の枠体２、３の一端部２ａおよび他端部３ｂに形成された平坦部４に、円板部６ａの凸部６ｂが枠の外側に位置するように配置され、ヒンジ部材６の固着部６ｃが嵌合されている。また、各々の枠体２、３の他端部２ｂおよび一端部３aに形成された平坦部４に、円板部６ａの凸部６ｂが枠の内側に位置するように配置され、ヒンジ部材６の固着部６ｃが嵌合されている。そして、各々のヒンジ部材６の固着部６ｃの固着リベット取付孔６ｇと平板部４の取付孔４ａとに、固着リベット６ｅが挿通され固着されている。
【００２９】
さらに、一方の枠体２のヒンジ部材６と、他方の枠体３のヒンジ部材６とを重ね合わせ、各々の円板部６ａに形成された凸部６ｂ同士を対向させ、中心部に穿設された軸着リベット取付孔６ｆに軸着リベット６ｄを挿通させて軸着することにより、各々の枠体２、３を回動自在に連結するヒンジ部５が形成されている。
【００３０】
また、一対の枠体１の下面側には、ピンチ吊具９ａを介して複数個のピンチ部材９が、間隔を置いて設けられている。また、第１補強桟２ｃ、３ｃおよび第２補強桟２ｄ、３ｄの下面側にも、ピンチ吊具９ａを介して複数個のピンチ部材９が、間隔を置いて設けられている。
【００３１】
以上の構成による本実施形態の金属製物干し具１０を用いて、ベランダや庭先の物干し竿に吊して使用するには、まず図１に示すように、折り畳んだ状態（図９参照）から、各々の枠体２、３をヒンジ部５を介して回動させ、各々の枠体２、３が互いに平行になるように拡げる。このとき回動自在に設けられたヒンジ部５において、ヒンジ部材６の円板部６ａの接線をなす一辺部のフランジ部６ｉに形成されたストッパ部６ｈにより、一対の枠体１の各々の枠体２、３が、互いに平行になる位置で停止するようになっている。
【００３２】
次いで、ベランダや庭先にある物干し竿などに、フック部材８の鉤状部を掛けて吊す。そして、洗濯機により洗い終わった洗濯物を、ピンチ部材９により適宜挟んで吊す。この際に、ジーンズやトレーナーなどの水分を含むと重くなる洗濯物を吊した場合であっても、ヒンジ部材６がステンレスにより形成されているため、ヒンジ部５が破損することはない。
【００３３】
そして、太陽光などに晒したあと、乾燥した洗濯物をピンチ部材９より取り外す。そして、図９に示すように、各々の枠体２、３のヒンジ部５を介して折り畳み、所定の場所に保管する。また、部屋が狭く保管場所に確保できない場合には、そのまま屋外の物干し竿などに吊して保管する。その際に、アルミニウムにより形成された一対の枠体１およびステンレスにより形成されたヒンジ部５のヒンジ部材６は、雨風や太陽光に長時間晒しておいても、錆の発生や劣化の進行が少ないため、問題なく屋外に保管することができる。
【００３４】
上述の実施形態による金属製物干し具１０によれば、折り畳み可能な一対の枠体１と、この一対の枠体１を回動自在に連結するためのヒンジ部５とが、金属材料により形成されているため、屋外での使用または保管をした場合でも、太陽光や雨風による劣化の進行を防ぐことができる。この結果、破損や風合いを損なうことなく、長期に亘り使用することができる。
【００３５】
また、各々の枠体２、３は、一端部２ａ、３ａと他端部２ｂ、３ｂとに、各々の平坦面を対向させた平板状の平坦部４が一体に形成され、この平坦部４にヒンジ部材６を取り付けることによって、回動自在に連結されているため、各々の枠体２、３の回動方向に対して、垂直方向に配置された当該平坦面により、強度を高くすることができる。また、構造を簡素にすることができるともに、組み立てを簡便に行うことができる。これにより、製造コストを抑え、しかも強度のある物干し具を安価に提供することができる。
【００３６】
そして、ヒンジ部材６は、円板部６ａと、この円板部６ａの接線方向に外方に突出した固着部６ｃとが一体に形成されているとともに、各々が同形に形成されているため、プレス機械により簡単に製造することができ、かつ一種類のヒンジ部材６を製造することによって、一対の枠体１のヒンジ部５を形成することができる。この結果、部品点数を抑えることができ、製造に掛かるコストを抑えることができる。
【００３７】
さらに、各々の枠体２、３の一端部２ａ、３ａおよび他端部２ｂ、３ｂの平坦部４に固着されたヒンジ部材６は、一方の枠体２のヒンジ部材６と他方の枠体３のヒンジ部材６とが重なり合うとともに、円板部６ａの中心部同士が軸着されているため、各々の枠体２、３の回動方向に対して、垂直方向に配置された円板部６ａの平坦面を重ね合わせることにより、強度を高くすることができる。これにより、上記円板部を厚くする必要がなく、より軽量の物干し具を提供することができる。
【００３８】
また、ヒンジ部材６は、円板部６ａの中心部に凸部６ｂが形成され、一方の枠体２のヒンジ部材６と他方の枠体３のヒンジ部材６とが、互いの凸部６ｂの頂部を対向させて重なり合い、円板部６ａの中心部同士が軸着されているため、一対の枠体１が回動した際に、摩擦抵抗を抑え、スムーズに回動させることができるとともに、円板部６ａの強度を高めることができる。
【００３９】
そして、一対の枠体１が、アルミニウムにより形成されているため、太陽光や雨風による錆や劣化の発生を抑えることができ、しかも軽量で取り扱い易い物干し具を提供することができる。この結果、使用後も庭先やベランダなど屋外に吊して保管することができる。
【００４０】
そして、各々の枠体２、３を開閉するためのヒンジ部材６が、ステンレスにより形成されているため、頻繁に使用される場合であっても、摩耗や錆などの発生を抑えることができるとともに、強度を高めることができる。これにより、開閉動作に支障を与えることなく、長期利用を可能にし、家庭から廃棄されるゴミの量を軽減することができる。
【００４１】
さらに、固着部６ｃの円板部６ａの接線をなす一辺部に形成されたフランジ部６ｉに、円板部６ａの中心側にストッパ部６ｈが形成されているため、各々の枠体２、３の回動を行い、一対の枠体１を開状態にすることにより、常に各々の枠体２、３を平行に保持することができる。
【００４２】
なお、上記実施の形態において、一対の枠体１とフック部材８との間に介在する吊具７をワイヤー部材を用いる場合のみ説明したが、これに限定されるものではなく、例えば、チェーンタイプの吊具を用いても対応可能である。
また、各々の枠体２、３の一端部２ａ、３ａおよび他端部２ｂ、３ｂに形成された平坦部４と、ヒンジ部材６の固着部６ｃとを嵌合され固着する際に、固着リベット６ｅを用いた場合のみ説明したが、これに限定されるものではなく、例えば、ボルトとナットにより固着しても対応可能である。
【産業上の利用可能性】
【００４３】
洗濯物をベランダや庭先などの屋外に干す際に利用することができる。
【符号の説明】
【００４４】
１  一対の枠体
２  枠体
２ａ  一端部
２ｂ  他端部
３  枠体
３ａ  一端部
３ｂ  他端部
４  平坦部
４ａ  取付孔
５  ヒンジ部
６  ヒンジ部材
６ａ  円板部  
６ｂ  凸部
６ｃ  固着部
７  吊具
８  フック部材
９  ピンチ部材
１０  金属製物干し具
【図１】
0005644079.tif 000002
【図２】
0005644079.tif 000003
【図３】
0005644079.tif 000004
【図４】
0005644079.tif 000005
【図５】
0005644079.tif 000006
【図６】
0005644079.tif 000007
【図７】
0005644079.tif 000008
【図８】
0005644079.tif 000009
【図９】
0005644079.tif 000010